(57)【特許請求の範囲】
【請求項１】
注水管を形成しており、該注水管の上端部に円座を取り付けており、また、注水管より大径の蓋を形成しており、該端部にとっ手を蝶番側に向けて斜め状に取り付けており、裏底には半球状の浮子を取り付けており、浮子回りは弾性に富んだパッキンを貼り付けており、而して、蓋の一端を円座に蝶着しており、他端は止め棒を取り付けており、該止め棒を円座に取り付けた止め金に掛けて蓋を閉じており、注水管の下部をフロアに円座をフロアサイレンサーに当てて取り付けている自動水没時の緊急脱出装置。
【請求項２】
蓋裏に円筒の浮子を取り付けており、浮子の外周にはＯリングを装着しており、また、蓋の一端を円座に蝶着しており、Ｏリングを介して注水管に着脱自在に嵌入している請求項１記載の自動車水没時の緊急脱出装置。
【請求項３】
平面の蓋を形成しており、裏側にＯリングを装着した浮子を取り付けており、而して蓋の一端を円座に蝶着している請求項１と２記載の自動車水没時の緊急脱出装置。
【請求項４】
上部外周に凸部を設けた長方形状の注水管を形成しており、また、注水管に被せる蓋をゴムまたは合成樹脂で形成しており、蓋の表と裏に当て板を当てて鋲着しており、旦、他端の鋲にはとっ手を一端方向に斜め状に向けて鋲着しており、蓋裏の当て板には直方体状の浮子を取り付けており、また、注水管の中間下部に座板を取り付けており、而して、蓋の一端を座板に蝶着して蓋を閉じており、注水管の下部をフロアに、座板をフロアサイレンサーに当て、横向きに取り付けている請求項１記載の自動車水没時の緊急脱出装置。
【発明の詳細な説明】
【技術分野】
【０００１】  本発明は、自動車が水没した時の緊急脱出装置に関する。
【背景技術】
【０００２】  従来、自動車が水没すると、ドアに強大な水圧がかかるため、ドアを開けられず、そのため、車内に閉じ込められて溺死する。
【発明が解決しようとする課題】
【０００３】  自動車（以下  車に略）が水没しても、きわめて簡単な操作で、大量の水を車内に流入させ、ドアにかかる水圧を加速度的に減じて、安全に緊急脱出ができるようにしたものである。
【課題を解決するための手段】
【０００４】  そして、第１の課題解決手段の図１から図４は、注水管を形成し、該注水管の上端部に円座を取り付け、また、注水管よりやや大径の蓋を形成し、該端部にとっ手を蝶番側に向けて斜め状に取り付け、裏底には半球状の浮子を取り付け、浮子回りには弾性に富んだパッキンを貼り付け、而して、蓋の一端を円座に蝶番で取り付け、他端には止め棒を取り付け、該止め棒は円座に取り付けたバネ板の止め金に掛けて蓋を閉じ、然る後、注水管の下部をフロアに、円座をフロアサイレンサーに当てて取り付けたものである。
なお、本課題解決手段は、図１のように、助手席と後部座席前に取り付ける。
【０００５】  第２の課題解決手段の図５と図６は、裏底に円筒の浮子を取り付け、該下部は塞ぎ、浮子の外周にはＯリングを装着し、該Ｏリングを介して注水管に着脱自在に嵌装し、而して、蓋の一端を円座に蝶番で取り付けたものである。
なお、本課題解決手段は、図１のように、助手席と後部座席前に取り付ける。
【０００６】  第３の課題解決手段の図７と図８は、平面の蓋を形成し、該蓋の一端を円座に蝶番で取り付けたものである。
なお、本課題解決手段は、図１のように、助手席と後部座席前に取り付ける。
【０００７】  図９から図１１は、第３の課題解決手段の応用実施例で、浮子の上下にＯリングを嵌装し、蓋にはとっ手を立設し、水没時に上向きに抜くようにしたものである。
なお、本応用実施例は、図９のように、助手席と後部座席前に取り付ける。
【０００８】  第４の課題解決手段の図１２から図１５は、上部外周に凸部を設けた長方形状の注水管を形成し、また、注水管に被せる蓋をゴムまたは合成樹脂で形成し、蓋の表と裏に当て板を当てて鋲着し、且、他端の鋲にはとっ手を一端方向に斜め状に向けて鋲着し、蓋裏の当て板には直方体状の浮子を取り付け、また、注水管の中間下部に座板を取り付け、而して、蓋の一端を座板に蝶番で取り付けて蓋を閉じ、然る後、注水管の下部をフロアに、座板をフロアサイレンサーに当て、図１２のように横向きに取り付けたものである。
【発明の効果】
【０００９】  第１の課題解決手段の図１から図４は、車に緊急脱出装置を取り付けたので、水没時は、先ず、車を停め、同時に、蓋のとっ手を持って蓋を開ければ、水がドット車内へ流れ込み、その水流と浮子の浮力で蓋は開き放しとなるので、蓋を開けた後は手を離しても水は車内に自動的に流れ込む。
【００１０】  したがって、ドアが受ける水圧は急激に小さくなり、遂には零となる。
しかし、脱出は、水圧が零（車内の水位が車内の水位と同じになった時）になるまで待つのではなく、水没の危機は刻一刻と迫るので、ドアを押し続ければ、車内の水位は上昇し続け、それにつれて、ドアが受ける水圧は加速度的に減じていくので、水が車内に充満するを待たないで、ドアを開けて無事脱出することができる。
なお、平常時は、蓋は注水管に確実に装着されるので、水密生はよく、蓋を持ち上げない限り水は侵入しないと共に車の振動で外れることもない。
特に、蓋は、蝶番で保持されるので、脱出時に邪魔にならない。
【００１１】  第２の課題解決手段の図５と図６は、第１の課題解決手段の図１から図４を簡単化したもので、製作しやすいと共に操作も容易である。
【００１２】  第３の課題解決手段の図７と図８は、第２の課題解決手段の図５と図６を平面化したので、製作しやすいと共に蓋は平面であるので、平常時邪魔にならない。
【００１３】  図９から図１１は、上記の図７と図８の応用実施例で、蓋は平面であるので、平常時邪魔にならないと共に緊急脱出時に水に浮くので、車に取り付けた全部の蓋を外したどうかを確認することができる。
【００１４】  第４の課題解決手段の図１２から図１５は、巾が狹まい注水管を横向きに取り付けたので、脱出時に足元の邪魔にならない。
また、注水管は巾が狹いが横長に形成したので、開口部の面積は大きい。したがって、蓋を外せば、大量の水が流れ込み、ドアが受ける水圧は一気に下がるので、乗車全員が素早く脱出することができる。
【００１５】  以上において、本発明はフロアに取り付けたが、フロアサイレンサー、パッキン、Ｏリングがあるので、騒音が車内に入らないと共に平常時、雨水をタイヤがはね、フロアに強く叩きつけても車内に入らず、平常通り走行することができる。
また、とっ手は蓋に溶着か鋲で強固に取り付けたので、外れることがなく、如何なる場合でも、蓋を確実に開けることができる。
【００１６】  なお、本発明は、助手席のみでなく、後部座席にも取り付けたので、同乗者も操作して、後部からも大量の水を流れ込ませれば、車内への流入量は格段に増し、乗り合せた全員が無事脱出することができる。
【００１７】  このように、注入操作はきわめて簡単であるが、水没するとパニックになって操作方法を忘れ、そのショックで溺死することも考えられるので、ふだんから操作方法を訓練して身体で覚えるようにしたがよい。
また、運転車がパニックになった場合に備えて、同乗する家族、その他の人も訓練して、沈着、冷静に脱出操作ができるようにしたがよい。
【００１８】  なお、本発明の構造、取り付け、操作きわめて簡単であると共に安価に製作できるので、製造中のみならず、使用中の全車種に取り付ければ、水没時に全員が無事脱出することができる。
【図面の簡単な説明】
【００１９】  第１の課題解決手段【図１】  全体図
【図２】  図１の平面図
【図３】  図２線Ａ−Ａの縦断面図
【図４】  図３の左側面図第２の課題解決手段【図５】  図６の線Ｂ−Ｂの縦断面図
【図６】  図５の平面図第３の課題解決手段【図７】  図８の線Ｃ−Ｃの縦断面図
【図８】  図７の平面図
【図９】  第３の課題解決手段の応用実施例の全体図
【図１０】  図１１の線Ｄ−Ｄの縦断面図
【図１１】  図１０の平面図第４の課題解決手段【図１２】  全体図
【図１３】  図１２の平面図
【図１４】  図１３の線Ｅ−Ｅの縦断面図
【図１５】  図１４の線Ｆ−Ｆの縦断面図
【発明を実施するための形態】
【００２０】  第１の課題解決手段の図１から図４の１は注水管、２は注水管１の上端部に取り付けた円座、３は注水管１よりやや大径の蓋で該端部にとっ手４を蝶番７側に向けて斜め状に取り付けている。５は蓋３の裏に取り付けた半球状の浮子で、浮子５回りには強性に富んだパッキン６を貼り付けている。７は蝶番で蓋３の一端を円座２に蝶着し、他端は止め棒８を取り付け、円座２に取り付けた板バネで形成した止め金９に掛けて蓋３を閉じ、図１のように、注水管１をフロア１０に、円座２をフロアサイレンサー１１に当てて取り付けている。
【００２１】  第２の課題解決手段の図５と図６の１は、蓋３の裏底に取り付けた下部を塞いだ円筒の浮子で、該外周にＯリング１２を装着し、蓋３の一端を蝶番７で円座２に蝶着し、浮子５を注水管１に着脱自在に嵌装している。而して、図１のように、フロア１０に取り付けている。
【００２２】  第３の課題解決手段の図７と図８の１は、平面の蓋で、該平面の蓋３の上面にとっ手４を、下面に円筒状の浮子５を取り付け、蓋３と円座２を蝶番７で蝶着し、浮子５を注水管１に着脱自在に嵌装している。而して、図１のようにフロア１０に取り付けている。
【００２３】  上記第３の課題解決手段の応用実施例の図９から図１１は、平面の蓋１の下部に円筒の浮子５を取り付け、該浮子５の上下にＯリング１２を嵌装している。而して、該浮子５を注水管１にＯリング１２を介して嵌装し、水没時に上向きに抜き、水を車内に流入させるようにしている。
【００２４】  第４の課題解決手段の図１２から図１４の１は長方形状の注水管、３は注水管１に被せる蓋でゴムまたは合成樹脂で形成している。１３は当て板で蓋３の表と裏に当て板１３を当てて鋲着している。なお、他端の鋲にはとっ手４を一端方向に斜め状に向けて鋲着している。５は蓋３裏の当て板１３に取り付けた直方体状の浮子、１４は注水管１の中間下部に取り付けた座板で、蓋１の一端を該座板１４に蝶番７で蝶着し、蓋１を閉じている。
而して、図１２のように、注水管１の下部をフロア１０に、座板１４をフロアサイレンサー１１に当てて横向きに取り付けている。
【符号の説明】
【００２５】  １    注水管
２    円座
３    蓋
４    とっ手
５    浮子
６    パッキン
７    蝶番
８    止め棒
９    止め金
１０  フロア
１１  フロアサイレンサー
１２  Ｏリング
１３  当て板
１４  座板
【要約】
【課題】  従来、車が水没すると、ドアに強大な水圧がかかるため、ドアを開けられず、そのため、車内に閉じ込められて溺死する。
【解決手段】  自動車が水没した時、とっ手を持って蓋を開けさえすれば、後は、手を離しても大量の水が車内に自動的に流れ込むように構成した。
これにより、自動車が水没しても、車内に水がドットと流れ込む。
したがって、ドアが受ける水圧は急激に小さくなり遂には零となる。
しかし、脱出は、水圧が零（車内の水位が車外の水位と同じになった時）になるまで待つのではなく、水没の危機は刻一刻と迫るので、ドアを押し続ければ、車内の水位は上昇し続け、それにつれて、ドアが受ける水圧は加速度的に減じていくので、水が車内に充満するを待たないで、ドアを開けて無事脱出することができる。
【選択図】図１【図１】
0005909011.tif 000002
【図２】
0005909011.tif 000003
【図３】
0005909011.tif 000004
【図４】
0005909011.tif 000005
【図５】
0005909011.tif 000006
【図６】
0005909011.tif 000007
【図７】
0005909011.tif 000008
【図８】
0005909011.tif 000009
【図９】
0005909011.tif 000010
【図１０】
0005909011.tif 000011
【図１１】
0005909011.tif 000012
【図１２】
0005909011.tif 000013
【図１３】
0005909011.tif 000014
【図１４】
0005909011.tif 000015
【図１５】
0005909011.tif 000016